(57)【要約】【課題】所定期間以上アクセスされていないデータにアクセスすることで、長期間アクセスしないことにより生じるデータの劣化を低減することができる画像形成装置を提供する。【解決手段】制御部２００は、アクセステーブル３０２を参照して、保存領域やバックアップ領域等の長期記憶領域である領域Ａ２，領域Ａ３，領域Ｂ１，領域Ｂ５の中に所定期間（例えば１週間）以上アクセスされていないブロックにデータが記憶されているか調べる（Ｓ２１）。制御部２００は、所定期間以上アクセスされていないブロックにデータが記憶されていれば（Ｓ２１：ＹＥＳ）、最終アクセス日が最も古い日時のブロックに記憶されているデータから順に読み出しを行い（Ｓ２２）、読み出したデータを記憶部３０１に一時記憶していく（Ｓ２３）。制御部２００は、データを読み出したブロックと現在の日時とをアクセステーブル３０２に書き込んで（Ｓ２４）、処理を終了する。【選択図】  図４
2012063581.tif 000002
【特許請求の範囲】
【請求項１】
少なくとも画像データを記憶する第１記憶手段を内蔵し、前記第１記憶手段に記憶されている画像データに基づいて用紙に対する画像形成を行う画像形成装置であって、
前記第１記憶手段が記憶しているデータのうち、少なくとも一部のデータの最終アクセス日をデータ毎に対応付けて記憶する第２記憶手段と、
前記第１記憶手段から読み出されたデータを一時記憶する第３記憶手段と、
前記第２記憶手段を参照して、前記最終アクセス日から所定期間以上アクセスされていないデータを前記第１記憶手段から読み出して前記第３記憶手段に一時記憶するとともに、前記データに対応付けられた前記第２記憶手段の最終アクセス日を更新する読出処理を行う制御手段と、備える画像形成装置。
【請求項２】
前記第１記憶手段は、少なくとも一時記憶用のデータ及び長期記憶用のデータを記憶し、
前記第２記憶手段は、前記長期記憶用のデータへの最終アクセス日をデータ毎に対応付けて記録する請求項１に記載の画像形成装置。
【請求項３】
前記画像形成を含む画像処理に関する動作モードが終了してから所定時間が経過した後に、装置本体を省電力状態にする省エネモードへ切り換える切換手段を更に備え、
前記制御手段は、前記動作モードが終了してから前記所定時間が経過するまで、前記読出処理を行う請求項１又は２に記載の画像形成装置。
【請求項４】
前記制御手段は、電源投入されてから所定時間が経過するまで、前記読出処理を行う請求項１〜３の何れかに記載の画像形成装置。
【請求項５】
前記画像形成を含む画像処理に関する各種設定、及び前記画像処理の開始指示を受け付ける受付手段を更に備え、
前記制御手段は、前記受付手段が前記画像処理に関する各種設定を受け付けてから、前記画像処理の開始指示を受け付けるまで、前記読出処理を行う請求項１〜４の何れかに記載の画像形成装置。
【請求項６】
前記用紙に関する不具合を検知する検知手段を更に備え、
前記制御手段は、前記検知手段が不具合を検知してから所定時間が経過するまで、前記読出処理を行う請求項１〜５の何れかに記載の画像形成装置。
【発明の詳細な説明】
【技術分野】
【０００１】
内蔵した記憶装置に各種データを記憶している画像形成装置に関する。
【背景技術】
【０００２】
画像形成装置には、システム設定用のファイルや画像形成対象の画像データ等の各種データを記憶するハードディスクを内蔵したものがある。画像形成装置は、コピーの操作を受け付けると、原稿をスキャンして画像データを生成し、ハードディスクに一時記憶する。そして、画像形成装置は、ハードディスクに一時記憶されている画像データに対して２分割、ソート等の各種設定条件に基づく加工をして、加工後の画像データに基づく画像形成を行う。
【０００３】
ハードディスクは、複数のブロックに記憶領域が分割されており、ブロック毎に各種データが記憶されている。ハードディスクは、経年変化によるアクセス障害の発生や、衝撃による一部のデータの破損により、一部のブロックに記憶されているデータへアクセスできなくなる。また、記憶されているデータの中には、長期間アクセスされないことによりデータが劣化して、アクセスできなくなるデータもある。
【０００４】
画像形成装置には、ハードディスクの不良ブロックを調べ、不良ブロックの数が所定値以上になると、ハードディスクの交換を促すものがある（特許文献１参照。）
特許文献１に記載の画像形成装置では、コピー時に、ブロックへ書き込んだ画像データの読み出しに失敗すると、読み出しに失敗したブロックのブロック番号をメモリ領域へ記憶しておく。この時、画像形成装置は、メモリ領域へ記憶しているブロック番号の数が所定値以上になるとハードディスクの交換を促す。また、画像形成装置は、電源投入時にメモリ領域の内容が壊れていないかを確認し、メモリ領域の内容が壊れていると、ハードディスクの全ブロックに対して読み出しができるかを調べている。
【先行技術文献】
【特許文献】
【０００５】
【特許文献１】特開平９−２００４１３号公報
【発明の概要】
【発明が解決しようとする課題】
【０００６】
特許文献１に記載の画像形成装置では、コピー時にアクセスするブロックについては、データの読み出しができるかを調べている。しかし、他のブロックについては、メモリ領域の内容が壊れるまでデータの読み出しができるかを調べないため、長期間アクセスしないことによりデータが劣化してしまうことがある。
【０００７】
また、この画像形成装置では、メモリ領域の内容が壊れると、電源投入時にハードディスクの全ブロックに対してデータの読み出しができるかを調べるため、立ち上がりに時間を要し、ユーザの利便性を低下させている。
【０００８】
そこで、本発明では、ユーザの利便性を保ったまま、ハードディスクに記憶しているデータの劣化を低減ことができる画像形成装置を提供することを目的とする。
【課題を解決するための手段】
【０００９】
この発明の画像形成装置は、少なくとも画像データを記憶する第１記憶手段を内蔵し、第１記憶手段に記憶されている画像データに基づいて用紙に対する画像形成を行う。画像形成装置は、第２記憶手段と、第３記憶手段と、制御手段と、備える。
【００１０】
第２記憶手段は、第１記憶手段が記憶しているデータのうち、少なくとも一部のデータの最終アクセス日をデータ毎に対応付けて記憶する。第３記憶手段は、第１記憶手段から読み出されたデータを一時記憶する。制御手段は、第２記憶手段を参照して、最終アクセス日から所定期間以上アクセスされていないデータを第１記憶手段から読み出して第３記憶手段に一時記憶するとともに、データに対応付けられた第２記憶手段の最終アクセス日を更新する読出処理を行う。
【００１１】
この構成では、装置本体に内蔵される第１記憶手段には、画像形成対象となる画像データが少なくとも記憶されている。第２記憶手段は、第１記憶手段に記憶されているデータの少なくとも一部のデータに、最終アクセス日を対応付けて記憶している。第３記憶手段は、第１記憶手段に記憶されているデータを一時記憶する。制御手段は、第２記憶手段を参照して、最終アクセス日から所定期間以上アクセスされていないデータを第１記憶手段から読み出して第３記憶手段に一時記憶し、第１記憶手段から読み出したデータの最終アクセス日を更新する読出処理を行う。
【００１２】
第１記憶手段は、少なくとも一時記憶用のデータ及び長期記憶用のデータを記憶する構成であることが好ましい。この場合、第２記憶手段は、長期記憶用のデータへの最終アクセス日をデータ毎に対応付けて記録する。
【００１３】
この構成では、第１記憶手段は、一時記憶用のデータと長期記憶用のデータとを少なくとも記憶している。第２記憶手段は、第１記憶手段に記憶されている長期記憶用のデータに、最終アクセス日を対応付けて記憶している。制御手段は、読出処理において、最終アクセス日から所定期間以上アクセスされていない長期記憶用のデータを第１記憶手段から読み出して第３記憶手段に一時記憶し、第１記憶手段から読み出した長期記憶用のデータの最終アクセス日を更新する。これにより、画像形成装置は、データの読み出し対象から一時記憶用のデータを除くことで、劣化すると困る長期記憶用のデータの読み出しを効率よく行うことができる。
【００１４】
画像形成を含む画像処理に関する動作モードが終了してから所定時間が経過した後に、装置本体を省電力状態にする省エネモードへ切り換える切換手段を更に備える構成であることが好ましい。この場合、制御手段は、動作モードが終了してから所定時間が経過するまで、読出処理を行う。
【００１５】
この構成では、切換手段は、動作モードが終了してから所定期間が経過した後に、装置本体を省電力状態にする省エネモードへ切り換える。動作モードとは、例えば、原稿を複写するコピーモード、原稿をスキャンするスキャンモード、外部装置から入力されたデータを印刷するプリンタモード等である。制御手段は、動作モードが終了してから省エネモードへ切り換わるまで、読出処理を行う。これにより、画像形成装置は、動作モードの終了後から省エネモードへ切り換わるまでの時間、すなわち記憶手段にアクセスしない空き時間に読出処理を行うことができる。
【００１６】
制御手段は、電源投入されてから所定時間が経過するまで、読出処理を行う構成であることが好ましい。
【００１７】
この構成では、制御手段は、装置本体に電力供給が開始されてから所定時間が経過するまで、読出処理を行う。この所定時間とは、例えば、動作モードや各種設定の受け付け等が可能になるまでの時間である。これにより、画像形成装置は、装置本体に電力供給が開始されてから、操作部が操作内容を受け付け可能となるまでの時間、すなわち記憶手段にアクセスしない空き時間に読出処理を行うことができる。
【００１８】
画像形成を含む画像処理に関する各種設定、及び画像処理の開始指示を受け付ける受付手段を更に備える構成であることが好ましい。この場合、制御手段は、受付手段が画像処理に関する各種設定を受け付けてから、画像処理の開始指示を受け付けるまで、読出処理を行う。
【００１９】
この構成では、受付手段は、画像処理に関する各種設定や画像処理の開始指示を受け付ける。画像処理に関する各種設定は、例えば、コピーモードにおける枚数、濃度の設定やソートの有無の選択等であり、画像処理の開始指示は、コピーモードにおけるコピーの開始指示である。制御手段は、受付手段が画像処理に関する各種設定を受け付けてから、画像処理の開始指示を受け付けるまで読出処理を行う。これにより、画像形成装置は、受付手段が画像処理に関する各種設定を受け付けてから、画像処理の開始指示を受け付けるまでの時間、すなわち記憶手段にアクセスしない空き時間に読出処理を行うことができる。
【００２０】
用紙に関する不具合を検知する検知手段を更に備える構成であることが好ましい。この場合、制御手段は、検知手段が不具合を検知してから所定時間が経過するまで、読出処理を行う。
【００２１】
この構成では、検知手段は、例えば、用紙切れやジャムの発生等の用紙に関する不具合を検知する。制御手段は、検知手段が不具合を検知してから所定時間が経過するまで、読出処理を行う。この所定時間とは、例えば、用紙の補給や紙つまりの解消までに要するまでの時間や、用紙の補給や紙つまりの解消がされない状態で省エネモードへ切り換わるまでの時間である。これにより、画像形成装置は、用紙に関する不具合が生じてから不具合が取り除かれるか、省エネモードへ切り換わるまでの時間、すなわち記憶手段にアクセスしない空き時間に読出処理を行うことができる。
【発明の効果】
【００２２】
この発明の画像形成装置は、所定期間以上アクセスされていないデータにアクセスすることで、長期間アクセスしないことにより生じるデータの劣化を低減することができる。
【図面の簡単な説明】
【００２３】
【図１】画像形成装置の概略の正面断面図である。
【図２】記憶部の構成の一例を示す図である。
【図３】アクセスログの一例を示す図である。
【図４】電源投入時の処理を示すフローチャートである。
【図５】読出処理を示すフローチャートである。
【図６】動作モードの実行時の処理を示すフローチャートである。
【図７】用紙に関する不具合が発生した時の処理を示すフローチャートである。
【発明を実施するための形態】
【００２４】
以下に、この発明の実施形態に係る画像形成装置について図面を参照して説明する。
【００２５】
図１に示すように、画像形成装置１００は、給紙部８０、画像読取部９０、画像形成部１１０、制御部２００、記憶部３００、及び記憶部３０１を備える。画像形成装置１００は、制御部２００の指示により原稿から読み取った画像データを記憶部３００に一時記憶し、一時記憶した画像データに基づいて用紙に対する多色又は単色の画像形成を行う。なお、画像形成装置１００は、外部装置から入力される画像データに基づいて画像形成を行うものであってもよい。
【００２６】
画像読取部９０は、自動原稿搬送装置１２０の原稿搬送機能によって自動的に原稿台９２上に載置された原稿、又はオペレータによる自動原稿搬送装置１２０の開閉操作を伴う手動によって原稿台９２上に載置された原稿から画像データを読み取る。読み取った画像データは、記憶部３００に記憶される。
【００２７】
画像形成部１１０は、露光ユニット１、画像形成ユニット１０Ａ〜１０Ｄ、中間転写ユニット６０、二次転写ユニット３０、定着ユニット７０を備えている。
【００２８】
画像形成ユニット１０Ａは、現像器２Ａ、感光体ドラム３Ａ、クリーナ装置４Ａ、帯電器５Ａを備え、記憶部３００に記憶されている画像データに基づいてブラックの画像を形成する。帯電器５Ａは、感光体ドラム３Ａの表面を所定の電位に均一に帯電させる。現像器２Ａはそれぞれの感光体ドラム３Ａ上に形成された静電潜像を単色のトナー像に顕像化する。クリーナ装置４Ａは、感光体ドラム３Ａの周面に残留したトナーを回収する。画像形成ユニット１０Ｂ〜１０Ｄは、画像形成ユニット１０Ａと同一の構成を有し、それぞれシアン、マゼンダ、イエローの画像を形成する。
【００２９】
露光ユニット１は、半導体レーザ、ポリゴンミラー、ｆθレンズ及び反射ミラー等の光学系部品を備えたレーザスキャニングユニットである。露光ユニット１は、ブラック、シアン、マゼンダ、イエローのそれぞれの画像データで変調されたレーザ光のそれぞれで画像形成ユニット１０Ａ〜１０Ｄの各感光体ドラム３Ａ〜３Ｄの表面を軸方向に沿って露光走査し、静電潜像を形成する。
【００３０】
中間転写ユニット６０は、中間転写ベルト６１、駆動ローラ６２、従動ローラ６３、一次転写ローラ６４Ａ〜６４Ｄ、クリーニング装置６５、及びテンションローラ６６を有している。中間転写ベルト６１は、駆動ローラ６２、従動ローラ６３、及びテンションローラ６６に張架された無端ベルトである。
【００３１】
中間転写ベルト６１は、移動経路の外側に画像形成ユニット１０Ａ〜１０Ｄを配置し、移動経路の内側に一次転写ローラ６４Ａ〜６４Ｄを配置する。一次転写ローラ６４Ａ〜６４Ｄは、それぞれ画像形成ユニット１０Ａ〜１０Ｄに対応して設けられており、中間転写ベルトを挟んで感光体ドラム３Ａ〜３Ｄに対向する位置に配置されている。一次転写ローラ６４Ａ〜６４Ｄは、それぞれ感光体ドラム３Ａ〜３Ｄの周面に形成されたトナー像を中間転写ベルト６１の表面に転写する。
【００３２】
二次転写ユニット３０は、二次転写ローラ３１及び二次転写ベルト３２を備え、複数のローラに張架された無端ベルトである。二次転写ローラ３１は、駆動ローラ６２との間に二次転写ベルト３２及び中間転写ベルト６１を挟持する。
【００３３】
カラー画像形成時には、中間転写ベルト６１が画像形成ユニット１０Ａ〜１０Ｄを順次通過する間に、ブラック、シアン、マゼンダ、イエローのトナー像が中間転写ベルト６１の表面の同一位置に順次転写され、減法混色によってカラー画像が形成される。モノクロ画像形成時には、中間転写ベルト６１が画像形成ユニット１０Ａを通過して、ブラックのトナー像が中間転写ベルト６１の表面に転写され、モノクロ画像が形成される。
【００３４】
二次転写ユニット３０は、中間転写ベルト６１の表面のトナー像を転写する。クリーニング装置６５は、中間転写ベルト６１の表面に残留したトナーを回収する。
【００３５】
定着ユニット７０は、中間転写ベルト６１と二次転写ローラ３１との間を通過してトナー像が転写された用紙を加熱及び加圧する。用紙に転写されたトナー像が、用紙の表面に堅牢に定着する。定着ユニット７０を通過した用紙は、画像形成部１１０の上方に配置された排紙トレイ９１に排出される。
【００３６】
給紙部８０は、給紙カセット８１及び手差しトレイ８２を備えている。給紙カセット８１は、印刷処理に使用する複数枚の用紙を収納しており、露光ユニット１の下側に設けられている。手差しトレイ８２は、画像形成装置１００の側面に装備されている。給紙部８０は、ピックアップローラ８３又は８４の回転により、給紙カセット８１又は手差しトレイ８２から用紙を１枚ずつ用紙搬送路４０に給紙する。用紙搬送路４０は、給紙部８０から中間転写ベルト６１と二次転写ユニット３０との間及び定着ユニット７０を経由して排紙トレイ９１に至る間に形成されている。
【００３７】
制御部２００は、操作部（不図示）が受け付けた操作内容に基づいて、コピーモード、プリンタモードの何れかの動作モードに切り換えて、画像読取又は画像形成の少なくとも一方を行う。制御部２００は、コピーモード又はプリンタモードでドキュメントファイリング機能が指定されると、画像形成を行わない。また、制御部２００は、動作モードを終了してから所定時間（例えば１分、１５秒等）が経過すると、省エネモードに切り換える。
【００３８】
コピーモードでは、画像読取部９０が原稿から読み取った画像データを記憶部３００に一時記憶し、一時記憶した画像データに基づいて用紙に対する画像形成を画像形成部１１０が行う。コピーモードでドキュメントファイリング機能が指定されると、画像読取部９０が読み取った画像データを記憶部３００に記憶する。
【００３９】
プリンタモードでは、外部装置から入力されたデータを記憶部３００に一時記憶し、一時記憶したデータに基づいて用紙に対する画像形成を画像形成部１１０が行う。プリンタモードでドキュメントファイリング機能が指定されると、外部装置から入力されたデータを記憶部３００に記憶する。
【００４０】
省エネモードでは、消費電力を節減するために、装置本体へ動作モードより低い電力量で電力供給が行われ、装置本体を省電力状態にする。なお、動作モードはコピーモード、プリンタモードに限らない。
【００４１】
また、画像読取部９０が読み取った画像データ、及び外部装置から入力されたデータは、一例として図２に示す記憶部３００に記憶されている。記憶部３００は、１２８Ｇｂｙｔｅの容量のハードディスクであり、複数の領域に分割されている。各領域は、異なるデータが記憶されており、それぞれ１以上のブロック（５１２Ｂｙｔｅ）から構成される。このブロックとは、データへのアクセス可能な最小単位である。
【００４２】
領域Ａ１は、画像データの一時記憶領域である。領域Ａ１には、例えば、コピーモードで画像読取部９０が原稿から読み取った画像データが一時記憶されている。領域Ａ１は、コピーモードの実行の度に、画像データが一時記憶され、読み出される。
【００４３】
領域Ａ２は、画像データの保存領域である。領域Ａ２には、例えば、ドキュメントファイリング機能の指定により、画像読取部９０が読み取った画像データや外部装置から入力されたデータが記憶されている。領域Ａ２は、ドキュメントファイリング機能が指定される度に画像データが記憶され、ユーザの指示に基づいて画像データが読み出される。
【００４４】
領域Ａ３は、画像データのバックアップ領域である。領域Ａ３は、バックアップ時に画像データが記憶され、復旧時に画像データが読み出される。
【００４５】
領域Ｂ１は、システム設定用のデータのバックアップ領域である。領域Ｂ１には、例えば、画質調整用の設定データ、フォント等の工場出荷時における各種設定データが記憶されている。領域Ｂ１は、バックアップ時にデータが記憶され、復旧時にデータが読み出される。
【００４６】
領域Ｂ２は、システム設定用のデータの記憶領域である。領域Ｂ２には、各ユーザが設定したシステム設定用のデータ（フォント）が記憶されている。領域Ｂ２は、起動時や動作モードを実行する度等に、適切なデータが読み出される。領域Ｂ２は、ユーザが設定を変更する度に、データが更新される。
【００４７】
領域Ｂ３は、データの一時記憶領域である。領域Ｂ３には、例えば、プリントモードで外部装置から入力されたデータが一時記憶されている。領域Ｂ３は、プリントモードの実行の度に、データが一時記憶され、読み出される。
【００４８】
領域Ｂ４は、一例として図３に示すアクセステーブル３０２が記憶されている。アクセステーブル３０２は、領域Ａ２，領域Ａ３，領域Ｂ１，領域Ｂ５の各ブロックへの最終アクセス日がブロック毎に記録されている。これらの領域Ａ２，領域Ａ３，領域Ｂ１，領域Ｂ５には、通常の画像処理おいて頻繁に利用しないデータで、且つ長期記憶が必要なデータが記憶されている。
【００４９】
領域Ｂ５は、プリインストールデータの保存領域である。領域Ｂ５には、例えば、取扱説明書やウォーターマークのデータが記憶されている。領域Ｂ５は、工場出荷時にこれらのデータが記憶され、ユーザが取扱説明書やウォーターマークを使用するタイミングでデータが読み出される。
【００５０】
領域Ｃ１は、未フォーマットの領域で、未使用である。
【００５１】
また、制御部２００は、記憶部３００にアクセスしていない空き時間に、記憶部３００に記憶されている、少なくとも一部のデータの読み出しを行い、キャッシュメモリである記憶部３０１へ出力する読出処理を行う。以下に、読出処理の詳細について説明する。
【００５２】
まず、自装置の電源投入時における読出処理について説明する。図４に示すように、制御部２００は、自装置の電源がオンされるまで待って（Ｓ１１：ＮＯ）、電源がオンされると（Ｓ１１：ＹＥＳ）、図５に示す読出処理を行う（Ｓ１２）。制御部２００は、自装置の起動が完了するまで（Ｓ１３：ＮＯ）、読出処理を行い（Ｓ１２）、起動が完了すると（Ｓ１３：ＹＥＳ）、読出処理を終了する。
【００５３】
図５に示すように、読出処理では、制御部２００は、アクセステーブル３０２を参照して、領域Ａ２，領域Ａ３，領域Ｂ１，領域Ｂ５の中に所定期間（例えば１週間）以上アクセスされていないブロックにデータが記憶されているか調べる（Ｓ２１）。領域Ａ２，領域Ａ３，領域Ｂ１，領域Ｂ５は、一時記憶領域や頻繁にアクセスされる領域を除く、保存領域やバックアップ領域等の長期記憶領域である。
【００５４】
制御部２００は、所定期間以上アクセスされていないブロックにデータが記憶されていれば（Ｓ２１：ＹＥＳ）、最終アクセス日が最も古い日時のブロックに記憶されているデータから順に読み出しを行い（Ｓ２２）、読み出したデータを記憶部３０１に一時記憶していく（Ｓ２３）。この時、制御部２００は、画像データが記憶されている領域Ａ２、領域Ａ３からは、画像データ毎に画像データの読み出しを行い、汎用データが記憶されている領域Ｂ１、領域Ｂ２からは、ブロック毎にデータの読み出しを行う。
【００５５】
制御部２００は、読み出したデータが記憶されているブロックと現在の日時とをアクセステーブル３０２に書き込んで（Ｓ２４）、処理を終了する。また、制御部２００は、領域Ａ２，領域Ａ３，領域Ｂ１，領域Ｂ５のすべてのブロックに記憶されているデータが、所定期間（例えば１週間）未満内にアクセスされていたら（Ｓ２１：ＮＯ）、処理を終了する。
【００５６】
なお、上述の実施例では、図４のＳ１３で起動が完了するまで読出処理を行ったが、図４のＳ１１で電源オンしてから所定時間が経過するまで読出処理を行ってもよい。この場合、予め自装置の起動に要する時間を計測しておき、所定時間を計測した時間より短時間に設定すればよい。
【００５７】
次に、動作モードの実行時における読出処理について説明する。図６に示すように、制御部２００は、操作部（不図示）が画像処理に関する各種設定を受け付けるまで待つ（Ｓ３１：ＮＯ）。画像処理に関する各種設定とは、例えば動作モードの選択、各動作モードにおける画像読取条件、印刷条件等の設定である。
【００５８】
制御部２００は、画像処理に関する各種設定を受け付けると（Ｓ３１：ＹＥＳ）、図５に示す読出処理を行う（Ｓ３２）。制御部２００は、操作部（不図示）が画像処理の開始指示を受け付けるまで（Ｓ３３：ＮＯ）、読出処理行い（Ｓ３２）、画像処理の開始指示の受け付けると（Ｓ３３：ＹＥＳ）、読出処理を終了して、画像処理を開始する（Ｓ３４）。画像処理には、画像読取部９０による原稿からの画像データの読取、画像形成部１１０による画像データに基づく画像形成、の少なくとも一方の処理が含まれる。
【００５９】
制御部２００は、画像処理が終了するまで待って（Ｓ３５：ＮＯ）、画像処理が終了すると（Ｓ３５：ＹＥＳ）、図５に示す読出処理を行う（Ｓ３６）。制御部２００は、省エネモードへ移行するまで（Ｓ３７：ＮＯ）、読出処理行い（Ｓ３６）、省エネモードへ移行すると（Ｓ３７：ＹＥＳ）、読出処理を終了する。
【００６０】
なお、上述の実施例では、図６のＳ３７で省エネモードへ移行するまで読出処理を行ったが、図６のＳ３５で画像処理を終了してから所定時間が経過するまで読出処理を行ってもよい。この場合、予め省エネモードへ移行するまでの時間を計測しておき、所定時間を計測した時間より短時間に設定すればよい。
【００６１】
最後に、用紙に関する不具合の発生時における読出処理について説明する。図７に示すように、制御部２００は、例えば、用紙切れ、ジャム等の用紙に関する不具合の発生を検出するまで待って（Ｓ４１：ＮＯ）、用紙に関する不具合の発生を検出すると（Ｓ４１：ＹＥＳ）、図５に示す読出処理を行う（Ｓ４２）。制御部２００は、用紙に関する不具合が解消するまで（Ｓ４３：ＮＯ）、読出処理を行い（Ｓ１２）、用紙に関する不具合が解消すると（Ｓ４３：ＹＥＳ）、読出処理を終了する。
【００６２】
なお、上述の実施例では、図７のＳ４３で用紙に関する不具合が解消するまで読出処理を行った。しかし、Ｓ４３で用紙に関する不具合が解消するまでの時間、又はＳ４１で用紙に関する不具合が発生してから所定時間が経過するまでの時間、の何れか短い時間まで読出処理を行ってもよい。後者の場合、予め省エネモードへ移行するまでの時間を計測しておき、所定時間を計測した時間より短時間に設定しておく。ユーザが用紙に関する不具合の発生に気づかず、不具合が解消しないまま省エネモードへ移行してしまう可能性もあるからである。
【００６３】
以上のように、制御部２００は、装置本体へ十分な電力供給が行われている状態で且つ記憶部３００へアクセスしていない時に、一時記憶領域や頻繁にアクセスされる領域を除く、保存領域やバックアップ領域等の長期記憶領域から、所定期間以上アクセスされていないデータの読み出しを行う。制御部２００は、記憶部３００にアクセスしない空き時間を用いて、長期記憶領域に記憶されているデータの読み出しを行うことで、ユーザの利便性を保ったまま、長期間アクセスされないことにより生じるデータの劣化を低減することができる。
【００６４】
なお、上述の実施例では、記憶部３００がハードディスクであるとしたが、他の記憶媒体でも構わない。
【００６５】
なお、上述の実施例では、アクセステーブル３０２を領域Ｂ４に記憶したが、別の記憶媒体に記憶してもよい。また、記憶部３０１を記憶部３００と別に設けたが、同一の記憶部としても構わない。
【００６６】
なお、上述の実施例では、長期記憶用のデータが記憶されている長期記憶領域である領域Ａ２，領域Ａ３，領域Ｂ１，領域Ｂ５のみを読出処理の対象領域とした。読出処理の対象領域を限定することで、アクセステーブル３０２への書き込みを減らすことができるからである。しかし、全領域を読出処理の対象領域としてもよい。
【００６７】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内でのすべての変更が含まれることが意図される。
【符号の説明】
【００６８】
１００…画像形成装置
９０…画像読取部
１１０…画像形成部
２００…制御部
３００，３０１…記憶部
３０２…アクセステーブル
【図１】
2012063581.tif 000003
【図２】
2012063581.tif 000004
【図３】
2012063581.tif 000005
【図４】
2012063581.tif 000006
【図５】
2012063581.tif 000007
【図６】
2012063581.tif 000008
【図７】
2012063581.tif 000009